【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
シャンク（２）と前記シャンク（２）に組み付けられる交換可能ヘッド（１）とを備える機械リーマ工具において、
前記交換可能ヘッド（１）が、前記シャンク（２）に面する側に、少なくとも１つのヘッド溝部（１２）および少なくとも１つのヘッド隆起部（１３）を備え、
前記シャンク（２）が、前記交換可能ヘッド（１）に面する側に、少なくとも１つのシャンク溝部（２２）および少なくとも１つのシャンク隆起部（２３）を備え、
組み付け状態で、前記少なくとも１つのヘッド溝部（１２）が前記少なくとも１つのシャンク隆起部（２３）に係合しており、前記少なくとも１つのシャンク溝部（２２）が前記少なくとも１つのヘッド隆起部（１３）に係合している
ことを特徴とする、機械リーマ工具。
【請求項２】
前記交換可能ヘッド（１）および前記シャンク（２）上の前記溝部および前記隆起部がそれぞれ、傾斜側壁を備え、組み付け状態で、前記交換可能ヘッド（１）を前記シャンク（２）に向かう方向に押す締結要素（３）が、前記ヘッド溝部（１２）の前記傾斜側壁を前記シャンク隆起部（２３）の前記傾斜側壁に押し付けており、前記ヘッド隆起部（１３）の前記傾斜側壁を前記シャンク溝部（２２）の前記傾斜側壁に押し付けている、請求項１に記載の機械リーマ工具。
【請求項３】
前記ヘッド溝部（１２）の２つの内側壁が、前記ヘッド溝部（１２）の基面（１２２）の方向へと溝幅が小さくなるテーパを付けられ、２つのヘッド溝部接触面（１２１）を形成しており、前記ヘッド隆起部（１３）の２つの外側壁が、前記ヘッド隆起部（１３）の端面（１３２）の方向へと壁厚が小さくなるテーパを付けられ、２つのヘッド隆起部接触面（１３１）を形成しており、
前記シャンク溝部（２２）の２つの内側壁が、前記シャンク溝部（２２）の基面（２２２）の方向へと溝幅が小さくなるテーパを付けられ、２つのシャンク溝部接触面（２２１）を形成しており、前記シャンク隆起部（２３）の２つの外側壁が、前記シャンク隆起部（２３）の端面（２３２）の方向へと壁厚が小さくなるテーパを付けられ、２つのシャンク隆起部接触面（２３１）を形成しており、
組み付け状態で、前記ヘッド溝部接触面（１２１）が前記シャンク隆起部接触面（２３１）に位置しており、前記２つのヘッド隆起部接触面（１３１）が前記シャンク溝部接触面（２２１）に位置している、請求項１または２に記載の機械リーマ工具。
【請求項４】
前記ヘッド溝部（１２）の前記２つの内側壁が平坦であり、前記ヘッド溝部の前記２つの内側壁が位置する２つの平面が、回転軸線（３１）と交差しかつ前記回転軸線（３１）に垂直に位置するラインで交差しており、
前記ヘッド隆起部（１３）の前記２つの外側壁が平坦であり、前記ヘッド隆起部（１３）の前記２つの外側壁が位置する２つの平面が、前記回転軸線（３１）と交差しかつ前記回転軸線（３１）に垂直に位置するラインで交差しており、
前記シャンク溝部（２２）の前記２つの内側壁が平坦であり、前記シャンク溝部（２２）の前記２つの内側壁が位置する２つの平面が、前記回転軸線（３１）と交差しかつ前記回転軸線（３１）に垂直に位置するラインで交差し、
前記シャンク隆起部（２３）の前記２つの外側壁が平坦であり、前記シャンク隆起部（２３）の前記２つの外側壁が位置する２つの平面が、前記回転軸線（３１）と交差しかつ前記回転軸線（３１）に垂直に位置するラインで交差している、請求項３に記載の機械リーマ工具。
【請求項５】
前記シャンク隆起部（２３）が長手方向のスロット（２３３）を備え、前記スロット（２３３）により、非組み付け状態に対して組み付け状態では、前記シャンク隆起部（２３）の前記外側壁が互いに向けて押されており、前記シャンク隆起部（２３）が変形しており、前記スロット（２３３）が狭くなっている、請求項２〜４のいずれか一項に記載の機械リーマ工具。
【請求項６】
前記ヘッド溝部（１２）および前記ヘッド隆起部（１３）が互いに垂直に走っており、前記シャンク溝部（２２）および前記シャンク隆起部（２３）が互いに垂直に走っている、請求項１〜５のいずれか一項に記載の機械リーマ工具。
【請求項７】
回転軸線（３１）を含む機械リーマ工具用の交換可能ヘッド（１）であって、
シャンクへの組付けを想定した側に、前記交換可能ヘッド（１）が少なくとも１つのヘッド溝部（１２）および少なくとも１つのヘッド隆起部（１３）を備える、交換可能ヘッド（１）。
【請求項８】
前記ヘッド溝部（１２）および前記ヘッド隆起部（１３）がそれぞれ、傾斜側壁を備える、請求項７に記載の交換可能ヘッド（１）。
【請求項９】
前記ヘッド溝部（１２）の２つの内側壁が、前記ヘッド溝部（１２）の基面（１２２）の方向へと溝幅が小さくなるテーパを付けられ、２つのヘッド溝部接触面（１２１）を形成しており、前記ヘッド隆起部（１３）の２つの外側壁が、前記ヘッド隆起部（１３）の端面（１３２）の方向へと壁厚が小さくなるテーパを付けられ、２つのヘッド隆起部接触面（１３１）を形成している、請求項８に記載の交換可能ヘッド（１）。
【請求項１０】
６マイクロメートルの交換精度を有する、請求項８または９に記載の交換可能ヘッド（１）。
【請求項１１】
前記ヘッド溝部（１２）の前記２つの内側壁が平坦であり、前記ヘッド溝部（１２）の前記２つの内側壁が位置する２つの平面が、前記回転軸線（３１）と交差しかつ前記回転軸線（３１）に垂直に位置するラインで交差しており、
前記ヘッド隆起部（１３）の前記２つの外側壁が平坦であり、前記ヘッド隆起部（１３）の前記２つの外側壁が位置する２つの平面が、前記回転軸線（３１）と交差しかつ前記回転軸線（３１）に垂直に位置するラインで交差している、請求項９または１０に記載の交換可能ヘッド（１）。
【請求項１２】
前記ヘッド溝部（１２）の前記内側壁および／または前記ヘッド隆起部（１３）の前記外側壁が、前記回転軸線（３１）に対して１０°〜４０°の角度だけ、特に２０°の角度だけ傾いている、請求項９〜１１のいずれか一項に記載の交換可能ヘッド（１）。
【請求項１３】
４刃付き、直径６ｍｍ〜８ｍｍであり、かつ前記刃が直線状溝を有し、それにより、前記刃相互間の角度の区分が下記角度を有する、すなわち、
前記ヘッド隆起部（１３）〜第１の刃：３０°、
前記第１の刃〜第２の刃：９２°、
前記第２の刃〜第３の刃：８８°、
前記第３の刃〜第４の刃：９５°、
である、請求項７〜１２のいずれか一項に記載の交換可能ヘッド（１）。
【請求項１４】
４刃付き、直径６ｍｍ〜８ｍｍであり、かつ刃が螺旋状溝を有し、それにより、前記刃相互間の角度の区分が下記角度を有する、すなわち、
前記ヘッド隆起部（１３）〜第１の刃：２５°、
前記第１の刃〜第２の刃：９２°、
前記第２の刃〜第３の刃：８８°、
前記第３の刃〜第４の刃：９５°、
である、請求項７〜１２のいずれか一項に記載の交換可能ヘッド（１）。
【請求項１５】
６刃付き、前記刃相互間の角度の区分が下記角度を有する、すなわち、
第１の刃〜第２の刃：６３°、
前記第２の刃〜第３の刃：角度６１°、
前記第３の刃〜第４の刃：５６°、
前記第４の刃〜第５の刃：６０°、
前記第５の刃〜第６の刃：５５°、
であり、直径ｄ、溝ｖ、および前記ヘッド隆起部（１３）と前記第１の刃との間の角度ｗの下記組合せ、すなわち、
ｄ＝８ｍｍ〜１０ｍｍ、ｖ＝直線状、ｗ＝４７°、
ｄ＝８ｍｍ〜１０ｍｍ、ｖ＝螺旋状、ｗ＝３５°、
ｄ＝９ｍｍ〜１１ｍｍ、ｖ＝直線状、ｗ＝５０°、
ｄ＝９ｍｍ〜１１ｍｍ、ｖ＝螺旋状、ｗ＝４０°、
ｄ＝１１ｍｍ〜１３ｍｍ、ｖ＝直線状、ｗ＝５０°、
ｄ＝１１ｍｍ〜１３ｍｍ、ｖ＝直線状、ｗ＝４０°、
のうちの１つを有する、請求項７〜１２のいずれか一項に記載の交換可能ヘッド（１）。
【請求項１６】
回転軸線（３１）を含む機械リーマ工具用のシャンク（２）であって、
前記シャンク（２）が、交換可能ヘッドへの組付けを想定した側に、少なくとも１つのシャンク溝部（２２）および少なくとも１つのシャンク隆起部（２３）を備える、シャンク（２）。
【請求項１７】
前記シャンク隆起部（２３）が長手方向のスロット（２３３）を備え、前記スロットが、前記シャンク隆起部（２３）の端面（２３２）から進む態様で前記シャンク隆起部（２３）の中に延びている、請求項１６に記載のシャンク（２）。
【請求項１８】
前記スロット（２３３）の深さが、前記シャンク隆起部（２３）が立ち上がっているシャンク端面（２１）を越える、前記シャンク隆起部（２３）の高さと少なくとも同程度である、請求項１７に記載のシャンク（２）。
【請求項１９】
前記シャンク隆起部（２３）が形成されている連結領域が鋼鉄で製造されており、前記シャンク（２）の後部が、別の材料、特に硬質金属で製造されている、請求項１６〜１８のいずれか一項に記載のシャンク（２）。